(57)【要約】【課題】ピックアップのレンズに付着する粉塵を低減できる効果を高めたディスク装置を得る。【解決手段】スレッドモータ１０の駆動力を受けて、ピックアップ５をディスク２の径方向に移動させるガイドナット９は、第１のガイド９ａ及び第２のガイド９ｂを有する。第１のガイド９ａは、ディスク２の回転方向の外周側に向けられた面であって、当該回転方向に対して下流側ほど、当該回転方向の外周側に突き出た面である。第２のガイド９ｂは、ディスク２の回転方向に対して上流側に向けられた面であって、当該回転方向に対して下流側ほど、レンズ６が向けられた方向とは逆側に突き出た面である。これら第１のガイド９ａ及び第２のガイド９ｂにより、粉塵の軌道を、レンズ６へ向かわない方向に反らす。【選択図】図２
2017073185.tif 000002
【特許請求の範囲】
【請求項１】
ディスクに向けられるレンズを有するピックアップと、
前記ピックアップと共に移動するガイド部材とを備え、
前記ガイド部材は、前記ディスクの回転方向に対して前記レンズよりも上流側に、
前記回転方向の外周側に向けられる面であって、前記回転方向に対して下流側ほど前記外周側に突き出る面、または、前記回転方向の内周側に向けられる面であって、前記回転方向に対して下流側ほど前記内周側に突き出る面である第１のガイドと、
前記回転方向に対して上流側に向けられる面であって、前記回転方向に対して下流側ほど、前記レンズが向けられた方向と逆側に突き出る面である第２のガイドとを有することを特徴とするディスク装置。
【請求項２】
前記第２のガイドには、凹部が形成されていることを特徴とする請求項１記載のディスク装置。
【請求項３】
前記ガイド部材は、スレッドモータの駆動力を受けて前記ピックアップを前記ディスクの径方向に移動させる樹脂製の部材であることを特徴とする請求項１または請求項２記載のディスク装置。
【発明の詳細な説明】
【技術分野】
【０００１】
この発明は、ディスクの再生又は記録を行うディスク装置に関する。
【背景技術】
【０００２】
ディスク装置では、ディスク挿入口、冷却用の外気取り込み口、その他開口部から、装置内部に粉塵が侵入する。再生又は記録処理時にディスクが回転すると、その回転に伴いディスクの回転方向に沿って気流が生じ、ディスク装置内部に侵入した粉塵は、当該気流に乗って装置内部で周回する。
ディスク装置には、ディスクの再生又は記録を行うためのピックアップが設けられている。ピックアップは、光源、レンズ等を有し、レンズはディスクに向けられている。ディスクの回転に伴い生じる気流に乗って周回する粉塵が、ピックアップのレンズに付着すると、ディスクの再生不良、書き込み不良等を引き起こす。
そこで、例えば特許文献１には、ピックアップのレンズ近傍に流線形の風防壁を設けた構成が開示されている。また、特許文献２には、ピックアップのレンズの周囲に防塵壁を例えば半円弧状に設けた構成が開示されている。これらの構成により、ピックアップのレンズは、ディスクの回転方向に沿って周回する粉塵の軌道上に直接曝されなくなる。更に、特許文献１の風防壁及び特許文献２の防塵壁は、流線形又は半円弧状に形成されることで、粉塵をその周回軌道の内周側又は外周側にガイドすることができ、レンズに付着する粉塵を低減している。
【先行技術文献】
【特許文献】
【０００３】
【特許文献１】特開平７―２１０８８９号公報
【特許文献２】実開平７―６９２４号公報
【発明の概要】
【発明が解決しようとする課題】
【０００４】
しかしながら、上記特許文献１，２に記載の風防壁及び防塵壁は、ディスク面に対して一様に垂直な面の壁となっている。このため、周回する粉塵が壁に衝突した際、壁を乗り越えるような方向にも粉塵が分散されて流れてしまう。そうした粉塵は、最終的にピックアップのレンズに到達してしまうため、特許文献１，２に記載の壁では、レンズに付着する粉塵を低減できる効果が限定的であった。
なお、特許文献１，２のようにディスク面に対して一様に垂直な壁であっても、ディスクとレンズとの間の隙間を完全に覆うような高さの壁とすれば、レンズに付着する粉塵を低減させるのに効果的ではある。しかし、ディスクに傷が付かないようにするため、壁とディスクとの間には一定の間隙が必要であるので、ディスクとレンズとの間の隙間を完全に覆う高さの壁とすることはできない。また、高密度記録に対応したピックアップでは、レンズの開口数が大きくなり、レンズがディスクに更に接近するため、レンズよりも高い壁を設けることすら、難しい状況となっている。
【０００５】
この発明は、上記のような課題を解決するためになされたもので、ピックアップのレンズに付着する粉塵を低減できる効果を高めたディスク装置を得ることを目的とする。
【課題を解決するための手段】
【０００６】
この発明に係るディスク装置は、ディスクに向けられるレンズを有するピックアップと、ピックアップと共に移動するガイド部材とを備え、ガイド部材は、ディスクの回転方向に対してレンズよりも上流側に、回転方向の外周側に向けられる面であって、回転方向に対して下流側ほど外周側に突き出る面、または、回転方向の内周側に向けられる面であって、回転方向に対して下流側ほど内周側に突き出る面である第１のガイドと、回転方向に対して上流側に向けられる面であって、回転方向に対して下流側ほど、レンズが向けられた方向と逆側に突き出る面である第２のガイドとを有することを特徴とするものである。
【発明の効果】
【０００７】
この発明によれば、第１のガイドと共に設けられる第２のガイドに衝突した粉塵は、ガイド部材を乗り越えるような方向には分散されずに、ピックアップのレンズから見てディスクとは逆側に軌道が反らされるので、レンズに付着する粉塵をより低減することができる。
【図面の簡単な説明】
【０００８】
【図１】この発明の実施の形態１に係るディスク装置の概略図である。
【図２】この発明の実施の形態１に係るディスク装置の一部を拡大して示す平面図である。
【図３】ガイドナットの側面図である。
【図４】この発明の理解を助けるための参考例となるガイドナットの側面図である。
【図５】第２のガイドの変形例を示す斜視図である。
【発明を実施するための形態】
【０００９】
実施の形態１．
図１は、この発明の実施の形態１に係るディスク装置１の構成を示す概略図である。ディスク２は、再生ベース３に取り付けられたスピンドルモータ４上に、回転可能な状態で挟持される。ピックアップ５は、不図示の光源とレンズ６を有し、当該光源からの光をレンズ６を通してディスク２に照射する。図１に示すディスク装置１の各構成は、不図示の筐体に納められて、例えばカーオーディオ、ナビゲーション装置等の車載電子装置として使用される。
【００１０】
スピンドルモータ４の駆動力を受けて、ディスク２は回転する。ディスク２が回転すると、ディスク２のディスク面近くでは、その回転に伴いディスク２の回転方向に沿って気流が生じる。ディスク装置１に設けられた不図示の開口部から侵入した粉塵Ｄは、当該気流に乗って、再生ベース３及びピックアップ５とディスク２との間の空間を周回する。
【００１１】
図２は、スピンドルモータ４及びピックアップ５周辺を拡大して示す平面図である。ピックアップ５には、不図示の光源を内部に保持し、レンズ６を、スピンドルモータ４上に挟持されるディスク２に向けられるように保持するピックアップ本体７が備えられる。ピックアップ本体７は、板金を加工するなどして製造され、シャフト８の軸方向にスライド可能なようにシャフト８に取り付けられている。
【００１２】
シャフト８には、ピックアップ本体７と同様に、シャフト８の軸方向にスライド可能なガイドナット９が取り付けられている。ガイドナット９は、スレッドモータ１０の駆動力を受けて、シャフト８の軸方向にスライドする。ガイドナット９は、ピックアップ本体７と固定されており、スレッドモータ１０の駆動力を受けると、ピックアップ５を一体的にシャフト８の軸方向にスライドさせる。これにより、ピックアップ５は、ディスク２の径方向に移動させられながら、再生又は記録処理を行う。
【００１３】
再生又は記録処理時にディスク２が回転すると、その回転に伴いディスク２の回転方向に沿って気流が生じ、ディスク装置１内部の粉塵が、当該気流に乗って周回する。図２には、この周回する粉塵の流れを妨げるものが無いと仮定した際の軌道Ａ１を、破線で示している。軌道Ａ１は、ディスク２の回転方向に一致する粉塵の各軌道のうち、軌道上にピックアップ５のレンズ６が位置する軌道である。つまり、粉塵が軌道Ａ１の通りに移動すると、その粉塵は、レンズ６に向かう。
【００１４】
しかしながら、この発明の実施の形態１においては、軌道Ａ１つまりディスク２の回転方向に対してレンズ６よりも上流側に設けられたガイドナット９に、粉塵の流れを妨げる工夫が施されている。
具体的には、ガイドナット９には、ディスク２の回転方向の外周側に向けられた面であって、当該回転方向に対して下流側ほど、当該回転方向の外周側に突き出た面である第１のガイド９ａが形成されている。レンズ６へ向かっていた粉塵の軌道Ａ１は、第１のガイド９ａと交差すると、その軌道がディスク２の回転方向の外周側に反らされる。これにより、軌道Ａ１に沿ってレンズ６へ向かっていた粉塵は、第１のガイド９ａによってディスク２の回転方向の外周側に反らされた軌道Ａ２に沿って移動し、レンズ６へは向かわない。従って、レンズ６に付着する粉塵を低減することができる。
【００１５】
また、ここで図３に、図２中のＸ方向から見たガイドナット９の側面図を示す。ガイドナット９には、第１のガイド９ａに加え、ディスク２の回転方向に対して上流側に向けられた面であって、当該回転方向に対して下流側ほど、図中の下方向に突き出た面である第２のガイド９ｂが形成されている。図中の下方向は、レンズ６が向けられた方向とは逆側となっており、ディスク２から離れる方向といえる。第２のガイド９ｂは、ディスク２の回転軸に沿った両端、つまり、図３におけるその上端及び下端のうちの少なくとも一方が、露出しているレンズ６の上端と下端との間に位置するように配置される。
図３に示すように、ディスク２の回転により周回する粉塵の軌道Ｂ１は、第２のガイド９ｂと交差すると、その軌道が図中の下方向に反らされる。これにより、軌道Ｂ１に沿ってレンズ６へ向かっていた粉塵は、第２のガイド９ｂによって反らされた軌道Ｂ２に沿って移動し、レンズ６へは向かわない。従って、レンズ６に付着する粉塵を更に低減することができる。
【００１６】
図４は、第２のガイド９ｂに代えて、ディスク２のディスク面に対して一様に垂直な面９ｃとした場合の粉塵の軌道を示している。このような面９ｃに、軌道Ｂ１に沿って周回する粉塵が衝突すると、図中の下方向に加えて上方向、つまり衝突した面９ｃを乗り越えるような方向にも粉塵が分散され、軌道Ｂ３として流れてしまう。軌道Ｂ３に沿った粉塵は、レンズ６に向かって付着してしまう。
図４に示した構成に対し、図３に示した第２のガイド９ｂを設けた場合は、第２のガイド９ｂを乗り越えるような粉塵の軌道はほとんど生じない。従って、レンズ６に向かう粉塵を大きく低減できることがわかる。
【００１７】
このように、第１のガイド９ａ及び第２のガイド９ｂを設けて、ディスク２の回転により周回する粉塵の軌道を、レンズ６へ向かわない方向に反らす。これにより、レンズ６に付着する粉塵を大きく低減することができる。
【００１８】
ガイドナット９は、樹脂成型部材であり、第１のガイド９ａ及び第２のガイド９ｂは、一体成型によりガイドナット９として一体的に形成される。または、ダイカストにより、第１のガイド９ａ及び第２のガイド９ｂを有するガイドナット９を作成してもよい。
【００１９】
なお、ガイドナット９にではなく、ピックアップ本体７に、第１のガイド９ａ及び第２のガイド９ｂを形成してもよい。この場合、ダイカスト、板金加工等により、第１のガイド９ａ及び第２のガイド９ｂを一体的に有するピックアップ本体７を作成すればよい。あるいは、第１のガイド９ａ及び第２のガイド９ｂが一体的に形成された樹脂成型部材を用意し、ピックアップ本体７に接着するなどして設けてもよい。
要は、第１のガイド９ａ及び第２のガイド９ｂを有するガイド部材を、ピックアップ５と共に移動し、かつ、その第１のガイド９ａ及び第２のガイド９ｂが、ディスク２の回転方向に対してレンズ６よりも上流側に位置するように設ければよい。
成型のしやすさ、精度の高さ、部品点数の増加抑制、取扱いの容易さ等の観点を考慮すると、第１のガイド９ａ及び第２のガイド９ｂは、樹脂製のガイドナット９として一体的に形成されるのが好ましい。ピックアップ本体７に一体的に形成する場合、ピックアップ本体７の全体的な形状が大きくなったり、複雑になったりして、取扱いが難しい。
【００２０】
また、図５の斜視図に示すように、第２のガイド９ｂを部分的にくぼませて、凹部９ｄを形成してもよい。このようにすることで、第２のガイド９ｂに衝突する粉塵の一部は、凹部９ｄに取り込まれる。これにより、周回する粉塵自体を減らせるので、レンズ６に付着する粉塵を更に低減できる。粘性材を第２のガイド９ｂに貼り付けることでも、同様の効果が期待できる。
【００２１】
また、上記では、第１のガイド９ａを、ディスク２の回転方向の外周側に向けられた面であって、当該回転方向に対して下流側ほど、当該回転方向の外周側に突き出た面で構成した。しかしながら、第１のガイド９ａを、ディスク２の回転方向の内周側に向けられた面であって、当該回転方向に対して下流側ほど、当該回転方向の内周側に突き出た面で構成してもよい。この場合、第１のガイド９ａと交差する粉塵の軌道は、ディスク２の回転方向の内周側に反らされて、レンズ６へは向かわなくなる。
【００２２】
以上のように、この実施の形態１に係るディスク装置１によれば、第１のガイド９ａと第２のガイド９ｂとを設けることにより、ディスク２の回転により周回する粉塵の軌道は、レンズ６へ向かわない方向に反らされて、レンズ６に付着する粉塵が、大きく低減される。特に、第２のガイド９ｂに衝突した粉塵は、ガイドナット９を乗り越えるような方向には分散されずに、レンズ６から見てディスク２とは逆側に軌道が反らされるので、レンズ６に付着する粉塵の低減効果が大きい。
【００２３】
また、第２のガイド９ｂには、凹部９ｄが形成されていることとした。従って、周回する粉塵自体を減らせるので、レンズ６に付着する粉塵を更に低減できる。
【００２４】
また、第１のガイド９ａ及び第２のガイド９ｂを有するガイド部材は、スレッドモータ１０の駆動力を受けてピックアップ５をディスク２の径方向に移動させる樹脂製のガイドナット９とした。従って、精度の高い第１のガイド９ａ及び第２のガイド９ｂの成型がしやすく、また、部品点数を増やさずに済むとともに、取扱いも容易である。
【００２５】
なお、本願発明はその発明の範囲内において、実施の形態の任意の構成要素の変形、もしくは実施の形態の任意の構成要素の省略が可能である。
【符号の説明】
【００２６】
１  ディスク装置、２  ディスク、３  再生ベース、４  スピンドルモータ、５  ピックアップ、６  レンズ、７  ピックアップ本体、８  シャフト、９  ガイドナット、９ａ  第１のガイド、９ｂ  第２のガイド、９ｃ  面、９ｄ  凹部、１０  スレッドモータ。
【図１】
2017073185.tif 000003
【図２】
2017073185.tif 000004
【図３】
2017073185.tif 000005
【図４】
2017073185.tif 000006
【図５】
2017073185.tif 000007